(57)【特許請求の範囲】
【請求項１】
発光素子が発した光を受光素子で受光するように配置し、発光素子が発した光を媒体が遮ったことを検出することにより媒体を検出する媒体検出装置において、
発光素子からの光を入光する入光端部と入光した光を受光素子に出光する出光端部とを具備する光通路体と、
一の発光素子が媒体検出に必要な程度の出力が得られなくなった場合に他の発光素子に切替える発光素子切替え手段とを有し、
前記発光素子は前記受光素子よりも多く設けられるとともに、
前記光通路体は、前記発光素子と前記受光素子のそれぞれに対向するように、入光端部と出光端部とが設けられ、
全ての入光端部から前記光通路体内に入光した光は、一の出光端部から出光することを特徴とする媒体検出装置。
【請求項２】
発光素子が発した光を受光素子で受光するように配置し、発光素子が発した光を媒体が遮ったことを検出することにより媒体を検出する媒体検出装置において、
発光素子からの光を入光する入光端部と入光した光を受光素子に出光する出光端部とを具備する光通路体と、
一の受光素子が媒体検出に必要な程度の出力が得られなくなった場合に他の受光素子に切替える受光素子切替え手段とを有し、
前記受光素子は前記発光素子よりも多く設けられるとともに、
前記光通路体は、前記発光素子と前記受光素子のそれぞれに対向するように、入光端部と出光端部とが設けられ、
一の入光端部から前記光通路体に入光した光は、前記光通路体内を通過して全ての出光端部から出光することを特徴とする媒体検出装置。
【請求項３】
発光素子が発した光を受光素子で受光するように配置し、発光素子が発した光を媒体が遮ったことを検出することにより媒体を検出する媒体検出装置において、
発光素子からの光を入光する入光端部と入光した光を受光素子に出光する出光端部とを具備する光通路体を有し、
前記受光素子と前記発光素子はそれぞれ複数設けられるとともに、
前記光通路体は、前記発光素子と前記受光素子のそれぞれに対向するように、入光端部と出光端部とが複数設けられ、
一の入光端部から前記光通路体に入光した光は、前記光通路体内を通過して全ての出光端部から出光し、全ての入光端部から前記光通路体内に入光した光は、一の出光端部から出光することを特徴とする媒体検出装置。
【請求項４】
前記複数の発光素子は互いに発光量が異なる請求項１乃至３記載の媒体検出装置。
【請求項５】
前記複数の発光素子は互いに波長が異なる請求項１乃至３記載の媒体検出装置。
【発明の詳細な説明】
【０００１】
【発明の属する技術分野】
本発明は、光を用いて媒体を検出する媒体検出装置に関し、特に装置としての信頼性を向上させた媒体検出装置に関する。
【０００２】
【従来の技術】
従来、光を利用した媒体検出装置は、発光素子と受光素子が媒体の搬送路を挟んで対向して配設してある。発光素子から発せられた光は、媒体に遮られなければ、受光素子により受光される。発光素子からの光が搬送路を搬送される媒体により遮られると、受光素子には受光されない。したがって受光素子で光を受光されないことにより、媒体を検出したとみなす。
【０００３】
【発明が解決しようとする課題】
しかしながら上記従来の媒体検出装置においては、受光素子または発光素子のいずれかが、何らかの理由、例えば故障、汚れ、寿命等の理由で、正常に動作が出来なくなると、装置全体が動作できなくなるという問題があった。
【０００４】
また従来の媒体検出装置においては、媒体の有無を検出するのみで、媒体の搬送速度や搬送方向をも同時に検出するようにはなっておらず、種々の用途に使用することができないという問題があった。
【０００５】
【課題を解決するための手段】
上記課題を解決するための本発明は、発光素子が発した光を受光素子で受光するように配置し、発光素子が発した光を媒体が遮ったことを検出することにより媒体を検出する媒体検出装置において、発光素子からの光を入光する入光端部と、入光した光を受光素子に出光する出光端部とを有する光通路体と、一の発光素子が媒体検出に必要な程度の出力が得られなくなった場合に他の発光素子に切替える発光素子切替え手段とを有し、前記発光素子は前記受光素子よりも多く設けられるとともに、前記光通路体は、前記発光素子と前記受光素子のそれぞれに対向するように、入光端部と出光端部とが設けられ、全ての入光端部から前記光通路体内に入光した光は、一の出光端部から出光することを特徴とするものである。
また、本発明は、発光素子が発した光を受光素子で受光するように配置し、発光素子が発した光を媒体が遮ったことを検出することにより媒体を検出する媒体検出装置において、発光素子からの光を入光する入光端部と入光した光を受光素子に出光する出光端部とを具備する光通路体と、一の受光素子が媒体検出に必要な程度の出力が得られなくなった場合に他の受光素子に切替える受光素子切替え手段とを有し、前記受光素子は前記発光素子よりも多く設けられるとともに、前記光通路体は、前記発光素子と前記受光素子のそれぞれに対向するように、入光端部と出光端部とが設けられ、一の入光端部から前記光通路体に入光した光は、前記光通路体内を通過して全ての出光端部から出光することを特徴とするものである。
また、本発明は、発光素子が発した光を受光素子で受光するように配置し、発光素子が発した光を媒体が遮ったことを検出することにより媒体を検出する媒体検出装置において、発光素子からの光を入光する入光端部と入光した光を受光素子に出光する出光端部とを具備する光通路体を有し、前記受光素子と前記発光素子はそれぞれ複数設けられるとともに、前記光通路体は、前記発光素子と前記受光素子のそれぞれに対向するように、入光端部と出光端部とが複数設けられ、一の入光端部から前記光通路体に入光した光は前記光通路体内を通過して全ての出光端部から出光し、全ての入光端部から前記光通路体内に入光した光は一の出光端部から出光することを特徴とするものである。
【０００６】
上記構成の本発明によれば、発光素子または受光素子が、故障や汚れなどの理由で媒体検出に必要な出力が得られなくなった場合に、それまで使用していなかった素子を使用することにより、媒体検出に必要な出力を得ることができるようになり、装置を停止させる必要がなくなり、装置の信頼性を上げることができる。
【０００７】
また、発光素子を複数配設するとともに、光通路体の入光端部を複数の発光素子にそれぞれ対向して複数設け、媒体を光通路と発光素子との間を搬送させるようにして、複数の発光素子の発光量を互いに異らせるようにする。この構成により、媒体の搬送速度および搬送方向の検出が可能になる。
【０００８】
【発明の実施の形態】
以下、本発明の実施の形態を図面にしたがって説明する。図１は本発明の第１の実施の形態の構成図、図２は第１の実施の形態における光通路中の光の進路を示す説明図、図３は第１の実施の形態の回路ブロック図である。
【０００９】
図1、図２において、第１の実施の形態の媒体検出装置１には、２個の発光素子２、３と１個の受光素子４が設けられ、発光素子２、３と受光素子４との間には光通路体５が設けられている。発光素子２、３は例えば発光ダイオードあるいはレーザダイオード等で構成され、受光素子４は例えばフォトトランジスタあるいはフォトダイオード等で構成される。光通路体５は、光が透過する部材、例えば透明なプラスチック樹脂などで構成され、発光素子２、３にそれぞれ対向する入光端部６、７と、受光素子４に対向する出光端部８を有し、またそれぞれの端部をつなぐ光通路９、１０、１１、１２を有する。
【００１０】
光通路９と光通路１０の中間には、光の進行方向に対して４５度をなす反射部１５が形成され、また光通路１１と光通路１２との間には光が直角に反射する反射部１６が形成されている。また光通路体５と受光素子４との間には媒体１３の搬送路１４が設けられている。光通路１０は発光素子２からの光と発光素子３からの光の両方を通過させる共通の通路である。
【００１１】
図３において、中央処理装置（ＣＰＵ）２１には発光回路２２が接続され、発光回路２２には発光素子２、３が接続されている。ＣＰＵ２１は発光回路２２を介して発光素子２、３を発光させる。またＣＰＵ２１はアナログ／ディジタル（Ａ／Ｄ）コンバータ２４が接続され、Ａ／Ｄコンバータ２４には受光回路２５を介して受光素子４が接続されている。
【００１２】
次に第１の実施の形態の動作を説明する。まずＣＰＵ２１は発光回路２２を介して発光素子２を発光させる。通常は発光素子２を発光させて媒体１３の検出を行う。発光素子２から発せられた光は、入光端部６から光通路体５に入り、光通路９および光通路１０を直進して出光端部８から出て、搬送路１４を横切って受光素子４で受光される。
【００１３】
このとき搬送路１４中を媒体１３が搬送され、媒体１３が出光端部８と受光素子４との間に達すると、受光素子４は出光端部８からの光を受光することができない。これをＣＰＵ２１が検出することにより、媒体１３が出光端部８と受光素子４との間まで搬送されてきたものと判断する。
【００１４】
発光素子２が、故障や汚れあるいは寿命などで、媒体検出に必要な程度の出力が得られなくなった場合、ＣＰＵ２１は発光素子を切り替え、発光素子３を発光させる。これにより媒体１３の検出を継続して行うことが出来る。
【００１５】
発光素子３から発せられた光は、入光端部７から光通路体５へ入り、光通路１１を通って反射部１６で反射し、光通路１２へ入る。光通路１２に入った光はさらに反射部１５で反射し、光通路１０へ入り、出光端部８から出て、搬送路１４を横切って受光素子４で受光される。これにより搬送路１４中を搬送される媒体１３を検出する。
【００１６】
以上のように第１の実施の形態によれば、発光素子２が、故障や汚れあるいは寿命などで、媒体検出に必要な程度の出力が得られなくなった場合、ＣＰＵ２１は発光素子を切り替え、発光素子３を発光させる。これにより、受光素子４を切換えることなく、媒体１３の検出を継続して行うことが出来、媒体検出装置としての信頼性を上げることができる。発光素子２、３のうちどちらを通常時に使用してもよいのは無論である。
【００１７】
次に第２の実施の形態を説明する。図４は本発明の第２の実施の形態の構成図、図５は第２の実施の形態における光通路中の光の進路を示す説明図、図６は第２の実施の形態の回路ブロック図である。
【００１８】
図４、図５において、第２の実施の形態の媒体検出装置３１には、１個の発光素子３２と２個の受光素子３３、３４が設けられ、発光素子３２と受光素子３３、３４との間には光通路体３５が設けられている。発光素子３２は例えば発光ダイオードあるいはレーザダイオード等で構成され、受光素子３３、３４は例えばフォトトランジスタあるいはフォトダイオード等で構成される。光通路体３５は、光が透過する部材、例えば透明なプラスチック樹脂などで構成され、発光素子３２に対向する入光端部３６と、受光素子３３、３４にそれぞれ対向する出光端部３７、３８を有し、またそれぞれの端部をつなぐ光通路３９、４０、４１、４２を有する。
【００１９】
光通路３９と光通路４０の中間には、光の進行方向に対して４５度をなす反射部４５が形成され、また光通路４１と光通路４２との間には光が直角に反射する反射部４６が形成されている。また光通路体３５と発光素子３２との間には媒体１３の搬送路１４が設けられている。光通路３９は、受光素子３３が受光する光と受光素子３４が受光する光の両方が通過する共通の通路である。
【００２０】
図６において、中央処理装置（ＣＰＵ）５１には発光回路５２が接続され、発光回路５２には発光素子３２が接続されている。ＣＰＵ５１は発光回路５２を介して発光素子３２を発光させる。またＣＰＵ５１はアナログ／ディジタル（Ａ／Ｄ）コンバータ５４が接続され、Ａ／Ｄコンバータ５４には受光回路５５を介して受光素子３３、３４が接続されている。
【００２１】
次に第２の実施の形態の動作を説明する。まずＣＰＵ５１は発光回路５２を介して発光素子３２を発光させる。発光素子３２から発せられた光は、まず搬送路１４を横切って、入光端部３６から光通路体３５に入り、光通路３９および光通路４０を直進して出光端部３７から出て、受光素子３３で受光される。通常は受光素子３３で受光することにより媒体１３の検出を行う。
【００２２】
搬送路１４中を媒体１３が搬送され、媒体１３が入光端部３６と発光素子３２との間に達すると、発光素子３２から発せられた光は光通路体３５へ入らず、受光素子３３は光を受光することができない。これをＣＰＵ５１が検出することにより、媒体１３が入光端部３６と発光素子３２との間まで搬送されてきたものと判断する。
【００２３】
受光素子３３が、故障や汚れあるいは寿命などで、媒体検出に必要な程度の出力が得られなくなった場合、ＣＰＵ５１は受光素子を切り替え、受光素子３４で受光させるようにする。これにより媒体１３の検出を継続して行うことが出来る。
【００２４】
受光素子を切換えた場合、発光素子３２から発せられた光は、まず搬送路１４を横切って入光端部３６から光通路体３５へ入り、光通路３９を通って反射部４５で反射し、光通路４１へ入る。光通路４１に入った光はさらに反射部４６で反射し、光通路４２へ入り、出光端部３８から出て、受光素子３４で受光される。これにより搬送路１４中を搬送される媒体１３を検出する。
【００２５】
以上のように第２の実施の形態によれば、受光素子３３が、故障や汚れあるいは寿命などで、媒体検出に必要な程度の出力が得られなくなった場合、ＣＰＵ５１は受光素子を切り替え、受光素子３４で受光させるようにする。これにより、発光素子３２を切換えることなく、媒体１３の検出を継続して行うことが出来、媒体検出装置としての信頼性を上げることができる。受光素子３３、３４のうちどちらを通常時に使用してもよいのは無論である。
【００２６】
次に第３の実施の形態を説明する。図７は本発明の第３の実施の形態の構成図、図８は第３の実施の形態の回路ブロック図、図９は第３の実施の形態の光通路体を示す斜視図である。
【００２７】
図７、図９において、第３の実施の形態の媒体検出装置６１には、２個の発光素子６２、６３と２個の受光素子６４、６５が設けられ、発光素子６２、６３と受光素子６４、６５との間には光通路体６６が設けられている。発光素子６２、６３は例えば発光ダイオードあるいはレーザダイオード等で構成され、受光素子６４、６５は例えばフォトトランジスタあるいはフォトダイオード等で構成される。光通路体６６は、光が透過する部材、例えば透明なプラスチック樹脂などで構成されている。また光通路体６６と受光素子６４、６５との間には媒体１３の搬送路１４が設けられている。
【００２８】
光通路体６６は、発光素子６２、６３にそれぞれ対向する入光端部６７、６８と、受光素子６４、６５にそれぞれ対向する出光端部６９、７０を有し、またそれぞれの端部をつなぐ光通路７１、７２、７３、７４および中間に位置する光通路７５を有する。光通路７１と光通路７２の間には、光の進行方向に対して４５度をなす反射部７６、７７が形成され、また光通路７３と光通路７４との間には光が直角に反射する反射部７８、７９が形成されている。
【００２９】
図８において、中央処理装置（ＣＰＵ）８１には発光回路８２が接続され、発光回路８２には発光素子６２、６３が接続されている。ＣＰＵ８１は発光回路８２を介して発光素子６２、６３を発光させる。またＣＰＵ８１はアナログ／ディジタル（Ａ／Ｄ）コンバータ８４が接続され、Ａ／Ｄコンバータ８４には受光回路８５を介して受光素子６４、６５が接続されている。
【００３０】
次に第３の実施の形態の動作を説明する。まずＣＰＵ８１は発光回路８２を介して発光素子６２を発光させる。発光素子６２から発せられた光は、入光端部６７から光通路体６６に入り、光通路７１および光通路７２を直進して出光端部６９から出て、搬送路１４を横切って、受光素子６４で受光される。通常は発光素子６２で発せられた光を受光素子６４で受光することにより媒体１３の検出を行う。
【００３１】
搬送路１４中を媒体１３が搬送され、媒体１３が出光端部６９と受光素子６４との間に達すると、光通路体６６からの光が受光素子６４により受光されない。これをＣＰＵ８１が検出することにより、媒体１３が出光端部６９と受光素子６４との間まで搬送されてきたものと判断する。
【００３２】
発光素子６２が、故障や汚れあるいは寿命などで、媒体検出に必要な程度の出力が得られなくなった場合、ＣＰＵ８１は発光素子を切り替え、発光素子６３を発光させる。これにより媒体１３の検出を継続して行うことが出来る。
【００３３】
発光素子６３から発せられた光は、入光端部６８から光通路体６６へ入り、光通路７３を通って反射部７８で反射し、光通路７５へ入る。光通路７５に入った光はさらに反射部７７で反射し、光通路７２へ入り、出光端部６９から出て、搬送路１４を横切って受光素子６４で受光される。これにより搬送路１４中を搬送される媒体１３を検出する。
【００３４】
また、受光素子６４が、故障や汚れあるいは寿命などで、媒体検出に必要な程度の出力が得られなくなった場合、ＣＰＵ８１は受光素子を切り替え、受光素子６５で受光させるようにする。これにより媒体１３の検出を継続して行うことが出来る。
【００３５】
受光素子を切換えた場合、発光素子６２から発せられた光は、入光端部６７から光通路体６６へ入り、光通路７１を通って反射部７６で反射し、光通路７５へ入る。光通路７５に入った光はさらに反射部７９で反射し、光通路７４へ入り、出光端部７０から出て、搬送路１４を横切って受光素子６５で受光される。これにより搬送路１４中を搬送される媒体１３を検出する。
【００３６】
さらに発光素子と受光素子の両方を切換える場合には、ＣＰＵ８１は、発光素子６３から光を出力し、受光素子６５で受光させるようにする。この場合、発光素子６３から発せられた光は、入光端部６８から光通路体６６へ入り、光通路７３および光通路７４を直進して出光端部７０から出て、搬送路１４を横切って、受光素子６４で受光される。
【００３７】
以上のように第３の実施の形態によれば、発光素子６２または受光素子６４が、故障や汚れあるいは寿命などで、媒体検出に必要な程度の出力が得られなくなった場合、ＣＰＵ８１は発光素子または受光素子を切り替え、別の発光素子または受光素子で受光させるようにする。これにより媒体１３の検出を継続して行うことが出来、媒体検出装置としての信頼性を上げることができる。
【００３８】
次に第４の実施の形態を説明する。図１０は第４の実施の形態の構成図、図１１は第４の実施の形態における受光素子の出力変化を示すタイムチャートである。
【００３９】
図1０において、第４の実施の形態の媒体検出装置９１には、第１の実施の形態と同様に、２個の発光素子２、３と１個の受光素子４が設けられ、発光素子２、３と受光素子４との間には光通路体５が設けられている。光通路体５は、発光素子２、３にそれぞれ対向する入光端部６、７と、受光素子４に対向する出光端部８を有し、それぞれの端部をつなぐ光通路９、１０、１１、１２を有する。また光通路９と光通路１０の中間には反射部１５が形成され、また光通路１１と光通路１２との間には反射部１６が形成されている。しかしながら、光通路体５と発光素子２、３との間に、媒体１３の搬送路１４が設けられている。
【００４０】
第４の実施の形態の制御系は図３に示す第１の実施の形態と同様である。
【００４１】
次に第４の実施の形態の動作を図１０、図１１および図３を用いて説明する。まずＣＰＵ２１は発光回路２２を介して両方の発光素子２、３を発光させる。発光素子２から発せられた光は、搬送路１４を横切って入光端部６から光通路体５に入り、光通路９および光通路１０を直進して出光端部８から出て、受光素子４で受光される。また発光素子３から発せられた光は、搬送路１４を横切って入光端部７から光通路体５へ入り、光通路１１を通って反射部１６で反射し、光通路１２へ入る。光通路１２に入った光はさらに反射部１５で反射し、光通路１０へ入り、出光端部８から出て、受光素子４で受光される。
【００４２】
媒体１３が発光素子２または発光素子３に対向した位置に存在しない場合は、図１１にａで示すように受光素子４の出力は最も高い。この場合は、発光素子２と発光素子３の両方から発せられた光が受光素子４で受光される。図１０に示すように媒体１３が左側から搬送されてきて入光端部６と発光素子２との間に達すると、発光素子２から発せられる光が遮られ、受光素子４へは発光素子３からの光しか入らない。したがって図１１にｂで示すように、受光素子４の出力は下がる。
【００４３】
媒体１３がさらに搬送されて入光端部７と発光素子３との間に達すると、発光素子３からの光が遮られ、受光素子４へは発光素子２、３からの光は入らず、図１１にｃで示すように、受光素子４の出力はさらに下がる。媒体１３がさらに搬送されて入光端部６と発光素子２との間を抜けると、発光素子２からの光が受光素子４へ入るようになり、図１１にｄで示すように、受光素子４の出力が上がる。媒体１３がさらに搬送されて入光端部７と発光素子３との間を抜けると、発光素子３からの光も受光素子４へ入るようになり、図１１にａで示すように、受光素子４の出力はさらに上がる。
【００４４】
以上のように受光素子４の出力変化から媒体１３の位置を検出することができるので、検出点の間隔を所定の値に設定することにより、媒体１３の搬送速度を算出することができ、さらに媒体１３の長さも算出することができる。
【００４５】
即ち、図１１において、発光素子２と発光素子３との距離を所定の値に設定しておき、ａからｂに変化した時点からｂからｃに変化した時点までの時間を計測することにより、媒体１３の搬送速度を算出することが出来る。また例えば、ａからｂに変化した時点からｃからｄに変化した時点までの時間を計測することにより、媒体１３が発光素子２を通過した時間を算出でき、この時間と搬送速度から媒体１３の長さを算出することができる。
【００４６】
また図１０に示す装置９１において、媒体１３の搬送方向を、発光素子２と発光素子３とを結ぶ直線に直交する方向とすることにより、搬送される媒体１３の搬送方向に対する傾きの程度（角度）を検出することが出来る。これは発光素子２と発光素子３のうち一方が先に媒体１３を検出してから他方が検出するまでの時間を計測することにより、媒体１３の傾きの角度を算出できる。
【００４７】
次に、図１０に示す装置９１において、発光素子２と発光素子３の出力（発光量）を変えて媒体を検出する例を説明する。媒体１３の搬送方向は図１０に示す通りである。この場合の受光素子の出力変化を示すタイムチャートを図１２に示す。図１２に示す例では、発光素子２の方が発光素子３より発光量が多くなっている。
【００４８】
図１２において、ａは、媒体１３が発光素子２または発光素子３に対向した位置に存在しない場合を示す。ｅは、媒体１３が入光端部６と発光素子２との間に存在する場合を示す。ｃは、媒体１３が入光端部６と発光素子２との間および入光端部７と発光素子３との間に存在する場合を示す。またｆは、媒体１３が入光端部６と発光素子２との間には存在せず、入光端部７と発光素子３との間だけに存在する場合を示す。図に示すように、ｅの場合の出力とｆの場合の出力のレベルが異なる。
【００４９】
以上のことから、媒体１３を、発光素子２と発光素子３とを結ぶ直線方向に搬送した場合、ｅのレベルが先にきて次にｆが後にくるか、あるいはその逆になるかによって、媒体１３の搬送方向、即ち、図１０に示す矢印Ａ方向に搬送されるかまたはその逆方向に搬送されるかを知ることができる。
【００５０】
図１３は図１０に示す矢印Ａ方向の逆方向に媒体１３を搬送した場合の受光素子の出力変化を示すタイムチャートである。図１３において、ｆは、媒体１３が入光端部７と発光素子３との間だけに存在する場合を示し、ｅは、媒体１３が入光端部６と発光素子２との間にだけ存在する場合を示しているので、媒体１３が図１０に示す矢印Ａ方向の逆方向に搬送されていることがわかる。
【００５１】
また発光素子２と発光素子３とで出力を異ならせた場合において、媒体１３の搬送方向を、発光素子２と発光素子３とを結ぶ直線に直交する方向とすることにより、搬送される媒体１３の搬送方向に対する傾きの程度（角度）を検出することが出来るだけでなく、どちら側に傾いているかを検出することが出来る。これは、図１２または図１３に示す出力レベルｅとｆうち、どちらが先に出力されるかにより検出することが可能である。
【００５２】
次に、図１０に示す装置９１において、発光素子２と発光素子３との波長を異ならせて媒体を検出する例を説明する。発光素子２と発光素子３との波長を異ならせることにより、媒体の透過率が異なり、発光素子２と発光素子３との出力（媒体通過時に透過する光の量）の差が大きくなる。
【００５３】
したがって、発光素子２と発光素子３との波長を異ならせることにより、図１２および図１３にｅおよびｆで示すような出力レベルを異ならせて、媒体１３の搬送方向や傾きの向きを検出することができる。また発光素子２と発光素子３の発光量を異ならせた上にさらに波長を異ならせることにより、発光素子２の位置のみを通過している場合の受光素子４の出力と、発光素子３の位置のみを通過している場合の受光素子４の出力との出力差をさらに大きくすることが可能で、検出精度が向上する。
【００５４】
以上のように第４の実施の形態によれば、発光素子２および発光素子３を両方発光し、その際の受光素子４の出力差から、媒体１３の搬送速度、媒体１３の長さ、媒体１３の傾きの程度および向き、および媒体１３の搬送方向を検出することが可能となり、媒体１３の有無の検出だけでなく、種々の用途に使用することが可能となる。なお発光素子２と発光素子３のうち一方のみを発光した場合には、前記第１の実施の形態と同様の作用効果となる。
【００５５】
【発明の効果】
以上詳細に説明したように本発明によれば、発光素子または受光素子が、故障や汚れなどの理由で媒体検出に必要な出力が得られなくなった場合に、それまで使用していなかった素子を使用することにより、媒体検出に必要な出力を得ることができるようになり、装置を停止させる必要がなくなり、装置の信頼性を上げることができる。
【００５６】
また複数の発光素子を発光させて媒体を検出する場合の受光素子の出力差を利用することにより、媒体の有無の検出だけでなく、種々の用途に使用することが可能となる。
【図面の簡単な説明】
【図１】第１の実施の形態の構成図である。
【図２】第１の実施の形態における光通路中の光の進路の説明図である。
【図３】第１の実施の形態の回路ブロック図である。
【図４】第２の実施の形態の構成図である。
【図５】第２の実施の形態における光通路中の光の進路の説明図である。
【図６】第２の実施の形態の回路ブロック図である。
【図７】第３の実施の形態の構成図である。
【図８】第３の実施の形態の回路ブロック図である。
【図９】第３の実施の形態の光通路体を示す斜視図である。
【図１０】第４の実施の形態の構成図である。
【図１１】第４の実施の形態における受光素子の出力変化を示すタイムチャートである。
【図１２】発光素子の出力を変えた場合の受光素子の出力変化を示すタイムチャートである。
【図１３】逆方向に媒体を搬送した場合の受光素子の出力変化を示すタイムチャートである。
【符号の説明】
１、３１、６１、９１  媒体検出装置
２、３、３２、６２、６３  発光素子
４、３３、３４、６４、６５  受光素子
５、３５、６６  光通路体
１３  媒体
１４  搬送路
【図１】
0004228531.tif 000002
【図２】
0004228531.tif 000003
【図３】
0004228531.tif 000004
【図４】
0004228531.tif 000005
【図５】
0004228531.tif 000006
【図６】
0004228531.tif 000007
【図７】
0004228531.tif 000008
【図８】
0004228531.tif 000009
【図９】
0004228531.tif 000010
【図１０】
0004228531.tif 000011
【図１１】
0004228531.tif 000012
【図１２】
0004228531.tif 000013
【図１３】
0004228531.tif 000014